(57)【要約】      （修正有）【課題】時分割複信（ＴＤＤ）システムにおける、初期取得のための方法および装置を提供する。【解決手段】時分割複信（ＴＤＤ）システムにおいて、初期取得の間予め定義された順序で、少なくとも１つの増幅器に対して、予め定められた複数の増幅器利得状態を実行する。利得状態が実行されると、その後、既知信号が検出されるまで予め定義された順序で実行される複数の予め定められた増幅器利得状態にわたって探索することに基づいて、受信信号から初期取得を決定する。【選択図】図５
2015228666.tif 000002
【特許請求の範囲】
【請求項１】
通信システムにおける初期取得のための方法であって、
時分割複信（ＴＤＤ）システムにおいて、初期取得の間予め定義された順序で、少なくとも１つの増幅器に対して、複数の予め定められた増幅器利得状態を実行することと、
既知信号が検出されるまで前記予め定義された順序で実行される前記複数の予め定められた増幅器利得状態にわたって探索することに基づいて、受信信号から初期取得を決定することと、
を含む方法。
【請求項２】
前記少なくとも１つの増幅器の利得を、前記複数のうち初期取得をもたらす利得状態に設定することをさらに含む、請求項１に定義される方法。
【請求項３】
前記複数の予め定められた増幅器利得状態は、可能性あるまたは予め定められた増幅器利得状態のより大きなセットのうちの１つの少ないサブセットを含む、請求項１に定義される方法。
【請求項４】
前記複数のうちの第１の利得状態が第１のアンテナを介した第１の受信信号に対して実行されるのと同時に、前記複数のうちの少なくとも第２の利得状態が第２のアンテナを介した第２の受信信号に対して実行される、請求項１に定義される方法。
【請求項５】
初期取得が前記第１および第２の利得状態を用いて決定されないとき、前記複数のうちの少なくとも第３の利得状態が前記第１のアンテナを介した第１の受信信号に対して実行されると同時に、前記複数のうちの少なくとも第４の利得状態が前記第２のアンテナを介した前記第２の受信信号に対して実行される、請求項４に定義される方法。
【請求項６】
前記第１の利得状態は前記複数の中で前記増幅器の最高利得状態であり、前記第２の利得状態は前記複数の予め定められた利得状態の中で前記増幅器の最低利得状態である、請求項５に定義される方法。
【請求項７】
受信機の第１のアンテナを介して受信される信号に対して前記複数の増幅器利得状態のうちの少なくとも１つを実行することと、前記受信機の少なくとも第２のアンテナを介して受信される信号に対して前記複数の増幅器利得状態のうちの他の少なくとも１つを実行することと、をさらに含み、
前記第１のアンテナに関する前記複数の増幅器利得状態のうちの前記少なくとも１つと、前記第２のアンテナに関する前記複数の増幅器利得状態のうちの前記他の少なくとも１つとのためのエネルギーメトリックは、初期取得を得るための既知パイロットを探索するために結合される、
請求項１に定義される方法。
【請求項８】
前記複数の予め定められた増幅器利得状態を実行することは、同じ初期取得期間の間、複数回の前記パイロットの探索にわたって前記増幅器利得状態を変更することを含む、
請求項１に定義される方法。
【請求項９】
前記少なくとも１つの増幅器は、受信機における低雑音増幅器（ＬＮＡ）である、
請求項１に定義される方法。
【請求項１０】
通信デバイスにおいて使用するための装置であって、
時分割複信（ＴＤＤ）システムにおいて、初期取得の間予め定義された順序で、少なくとも１つの増幅器に対して、複数の予め定められた増幅器利得状態を実行するように構成されるサーチャと、
既知信号が検出されるまで前記予め定義された順序で実行される前記複数の予め定められた増幅器利得状態にわたって探索することに基づいて、受信信号から初期取得を決定するように構成される初期取得ユニットと、
を含む装置。
【請求項１１】
前記初期取得ユニットは、前記少なくとも１つの増幅器の利得を、前記複数のうち初期取得をもたらす利得状態に設定するようにさらに構成される、請求項１０に定義される装置。
【請求項１２】
前記複数の予め定められた増幅器利得状態は、可能性あるまたは予め定められた増幅器利得状態のより大きなセットのうちの１つの少ないサブセットを含む、請求項１０に定義される装置。
【請求項１３】
前記サーチャは、前記複数のうちの第１の利得状態を第１のアンテナを介した第１の受信信号に対して実行するのと同時に、前記複数のうちの少なくとも第２の利得状態を第２のアンテナを介した第２の受信信号に対して実行するようにさらに構成される、請求項１０に定義される装置。
【請求項１４】
初期取得が前記第１および第２の利得状態を用いて決定されないとき、前記複数のうちの少なくとも第３の利得状態が前記第１のアンテナを介した第１の受信信号に対して実行されると同時に、前記複数のうちの少なくとも第４の利得状態が前記第２のアンテナを介した前記第２の受信信号に対して実行される、請求項１３に定義される装置。
【請求項１５】
前記第１の利得状態は前記複数の中で前記増幅器の最高利得状態であり、前記第２の利得状態は前記複数の予め定められた利得状態の中で前記増幅器の最低利得状態である、請求項１４に定義される装置。
【請求項１６】
前記サーチャは、受信機の第１のアンテナを介して受信される信号に対して前記複数の増幅器利得状態のうちの少なくとも１つを実行し、前記受信機の少なくとも第２のアンテナを介して受信される信号に対して前記複数の増幅器利得状態のうちの他の少なくとも１つを実行するように、さらに構成され、
前記第１のアンテナに関する前記複数の増幅器利得状態のうちの前記少なくとも１つと、前記第２のアンテナに関する前記複数の増幅器利得状態のうちの前記他の少なくとも１つとのためのエネルギーメトリックは、初期取得を得るための既知パイロットを探索するために結合される、
請求項１０に定義される装置。
【請求項１７】
前記サーチャは、同じ初期取得期間の間、複数回の前記パイロットの探索にわたって前記増幅器利得状態を変更するようにさらに構成される、
請求項１０に定義される装置。
【請求項１８】
前記少なくとも１つの増幅器は、受信機における低雑音増幅器（ＬＮＡ）である、
請求項１０に定義される装置。
【請求項１９】
初期取得を実行するために通信デバイスにおいて使用するための装置であって、
時分割複信（ＴＤＤ）システムにおいて、初期取得の間予め定義された順序で、少なくとも１つの増幅器に対して、複数の予め定められた増幅器利得状態を実行し、および
既知信号が検出されるまで前記予め定義された順序で実行される前記複数の予め定められた増幅器利得状態にわたって探索することに基づいて、受信信号から初期取得を決定するように構成される、
少なくとも１つのプロセッサを含む装置。
【請求項２０】
前記少なくとも１つのプロセッサは、前記少なくとも１つの増幅器の利得を、前記複数のうち初期取得をもたらす利得状態に設定するようにさらに構成される、請求項１９に定義される装置。
【請求項２１】
前記複数の予め定められた増幅器利得状態は、可能性あるまたは予め定められた増幅器利得状態のより大きなセットのうちの１つの少ないサブセットを含む、請求項１９に定義される装置。
【請求項２２】
前記複数のうちの第１の利得状態が第１のアンテナを介した第１の受信信号に対して実行されるのと同時に、第２のアンテナを介した第２の受信信号に対して前記複数のうちの少なくとも第２の利得状態が実行される、請求項１９に定義される装置。
【請求項２３】
初期取得が前記第１および第２の利得状態を用いて決定されないとき、前記複数のうちの少なくとも第３の利得状態が前記第１のアンテナを介した第１の受信信号に対して実行されると同時に、前記複数のうちの少なくとも第４の利得状態が前記第２のアンテナを介した前記第２の受信信号に対して実行される、請求項２２に定義される装置。
【請求項２４】
前記第１の利得状態は前記複数の中で前記増幅器の最高利得状態であり、前記第２の利得状態は前記複数の予め定められた利得状態の中で前記増幅器の最低利得状態である、請求項２３に定義される装置。
【請求項２５】
前記少なくとも１つのプロセッサは、受信機の第１のアンテナを介して受信される信号に対して前記複数の増幅器利得状態のうちの少なくとも１つを実行し、前記受信機の少なくとも第２のアンテナを介して受信される信号に対して前記複数の増幅器利得状態のうちの他の少なくとも１つを実行するように、さらに構成され、
前記第１のアンテナに関する前記複数の増幅器利得状態のうちの前記少なくとも１つと、前記第２のアンテナに関する前記複数の増幅器利得状態のうちの前記他の少なくとも１つとのためのエネルギーメトリックは、初期取得を得るための既知パイロットを探索するために結合される、
請求項１９に定義される装置。
【請求項２６】
前記複数の予め定められた増幅器利得状態を実行することは、同じ初期取得期間の間、複数回の前記パイロットの探索にわたって前記増幅器利得状態を変更することを含む、
請求項１９に定義される装置。
【請求項２７】
前記少なくとも１つの増幅器は、受信機における低雑音増幅器（ＬＮＡ）である、
請求項１９に定義される装置。
【請求項２８】
通信デバイスにおいて使用するための装置であって、
時分割複信（ＴＤＤ）システムにおいて、初期取得の間予め定義された順序で、少なくとも１つの増幅器に対して、複数の予め定められた増幅器利得状態を実行する手段と、
既知信号が検出されるまで前記予め定義された順序で実行される前記複数の予め定められた増幅器利得状態にわたって探索することに基づいて、受信信号から初期取得を決定する手段と、
を備える装置。
【請求項２９】
前記少なくとも１つの増幅器の利得を、前記複数のうち初期取得をもたらす利得状態に設定する手段をさらに備える、請求項２８に定義される装置。
【請求項３０】
前記複数の予め定められた増幅器利得状態は、可能性あるまたは予め定められた増幅器利得状態のより大きなセットのうちの１つの少ないサブセットを含む、請求項２８に定義される装置。
【請求項３１】
前記複数のうちの第１の利得状態が第１のアンテナを介した第１の受信信号に対して実行されるのと同時に、前記複数のうちの少なくとも第２の利得状態が第２のアンテナを介した第２の受信信号に対して実行される、請求項２８に定義される装置。
【請求項３２】
初期取得が前記第１および第２の利得状態を用いて決定されないとき、前記複数のうちの少なくとも第３の利得状態が前記第１のアンテナを介した第１の受信信号に対して実行されるのと同時に、前記複数のうちの少なくとも第４の利得状態が前記第２のアンテナを介した前記第２の受信信号に対して実行される、請求項３１に定義される装置。
【請求項３３】
前記第１の利得状態は前記複数の中で前記増幅器の最高利得状態であり、前記第２の利得状態は前記複数の予め定められた利得状態の中で前記増幅器の最低利得状態である、請求項３２に定義される装置。
【請求項３４】
受信機の第１のアンテナを介して受信される信号に対して前記複数の増幅器利得状態のうちの少なくとも１つを実行し、前記受信機の少なくとも第２のアンテナを介して受信される信号に対して前記複数の増幅器利得状態のうちの他の少なくとも１つを実行する手段、をさらに含み、
前記第１のアンテナに関する前記複数の増幅器利得状態のうちの前記少なくとも１つと、前記第２のアンテナに関する前記複数の増幅器利得状態のうちの前記他の少なくとも１つとのためのエネルギーメトリックは、初期取得を得るための既知パイロットを探索するために結合される、
請求項２８に定義される装置。
【請求項３５】
前記複数の増幅器利得状態のうちの少なくとも１つを実行する手段は、同じ初期取得期間の間、複数回の前記パイロットの探索にわたって前記増幅器利得状態を変更するように構成される、
請求項２８に定義される装置。
【請求項３６】
前記少なくとも１つの増幅器は、受信機における低雑音増幅器（ＬＮＡ）である、
請求項２８に定義される装置。
【請求項３７】
コンピュータ可読媒体を含むコンピュータプログラム製品であって、前記コンピュータ可読媒体は、
コンピュータに、時分割複信（ＴＤＤ）システムにおいて、初期取得の間予め定義された順序で、少なくとも１つの増幅器に対して、複数の予め定められた増幅器利得状態を実行させるコードと、
コンピュータに、既知信号が検出されるまで前記予め定義された順序で実行される前記複数の予め定められた増幅器利得状態にわたって探索することに基づいて、受信信号から初期取得を決定させるコードと、
を含むコンピュータプログラム製品。
【請求項３８】
前記コンピュータ可読媒体は、
コンピュータに、前記少なくとも１つの増幅器の利得を、前記複数のうちの初期取得をもたらす利得状態に設定させるコード、
をさらに含む請求項３７に定義されるコンピュータプログラム製品。
【請求項３９】
前記複数の予め定められた増幅器利得状態は、可能性あるまたは予め定められた増幅器利得状態のより大きなセットのうちの１つの少ないサブセットを含む、請求項３７に定義されるコンピュータプログラム製品。
【請求項４０】
前記複数のうちの第１の利得状態が第１のアンテナを介した第１の受信信号に対して実行されるのと同時に、前記複数のうちの少なくとも第２の利得状態が第２のアンテナを介した第２の受信信号に対して実行される、請求項３７に定義されるコンピュータプログラム製品。
【請求項４１】
初期取得が前記第１および第２の利得状態を用いて決定されないとき、前記複数のうちの少なくとも第３の利得状態が前記第１のアンテナを介した第１の受信信号に対して実行されるのと同時に、前記複数のうちの少なくとも第４の利得状態が前記第２のアンテナを介した前記第２の受信信号に対して実行される、請求項４０に定義されるコンピュータプログラム製品。
【請求項４２】
前記第１の利得状態は前記複数の中で前記増幅器の最高利得状態であり、前記第２の利得状態は前記複数の予め定められた利得状態の中で前記増幅器の最低利得状態である、請求項４１に定義されるコンピュータプログラム製品。
【請求項４３】
前記コンピュータ可読媒体は、
コンピュータに、受信機の第１のアンテナを介して受信される信号に対して前記複数の増幅器利得状態のうちの少なくとも１つを実行させ、前記受信機の第２のアンテナを介して受信される信号に対して前記複数の増幅器利得状態のうちの他の少なくとも１つを実行させるコード、を含み、
前記第１のアンテナに関する前記複数の増幅器利得状態のうちの前記少なくとも１つと、前記第２のアンテナに関する前記複数の増幅器利得状態のうちの前記他の少なくとも１つとのためのエネルギーメトリックは、初期取得を得るための既知パイロットを探索するために結合される、
請求項３７に定義されるコンピュータプログラム製品。
【請求項４４】
前記コンピュータ可読媒体は、
コンピュータに、同じ初期取得期間の間、複数回の前記パイロットの探索にわたって前記増幅器利得状態を変更させるコード
をさらに含む請求項３７に定義されるコンピュータプログラム製品。
【請求項４５】
前記少なくとも１つの増幅器は、受信機における低雑音増幅器（ＬＮＡ）である、
請求項３７に定義されるコンピュータプログラム製品。
【発明の詳細な説明】
【優先権の主張】
【０００１】
本特許出願は、２００９年６月１６日に出願され、これについて譲受人に譲渡され、参照によりここに明確に組み込まれる「Methods and Apparatus for Initial Acquisition in a Communication System」というタイトルの仮出願第６１／１８７，５６６号の優先権を主張する。
【技術分野】
【０００２】
本開示は、一般に通信システムにおける初期取得(initial acquisition)のための方法および装置に関し、より具体的には、時分割複信（ＴＤＤ）システムにおいて、送受信機による初期取得の間低雑音増幅器(LNA)を設定することに関する。
【背景技術】
【０００３】
通信システムにおいて、双方向通信のために双方向送信を用いることが知られている。
【０００４】
特に、双方向送信は、ダウンリンク(ＤＬ)またはフォワードリンクデータ、およびアップリンク（ＵＬ）またはリバースリンクデータが双方向通信においてアレンジされる進路のことをいう。無線通信システムの例では、ダウンリンク(DL)は、基地局(BSまたはeNodeB)またはアクセスポイント(AP)から、ユーザ装置(UE)またはアクセス端末(AT)のようなモバイルデバイスへ情報を伝送する。アップリンク(UL)は、UEまたはATからBSまたはAEへ情報を伝送する。周波数分割複信(FDD)および時分割複信(TDD)という２つのタイプの周知な双方向送信スキームがある。
【０００５】
FDDでは、ダウンリンク(DL)データおよびアップリンク(UL)データは、同じタイムスロットでダウンリンクサブフレームおよびアップリンクサブフレームを送信するために、一般に、２つの別個のチャネルを使用することにより分離または区別される。しかし、データトラフィックは常にチャネル帯域幅の小さな部分を占有するだけなので、FDDは非対称データサービスを処理するには非効率である。従って、TDD(Time Division Duplex（時分割複信）)スキームは２つの異なるタイムスロットでダウンリンクサブフレームおよびアップリンクサブフレームを送信する１つのチャネルのみを使用するため、TDDはそのようなサービス(例えば、LTE(Long Term Evolution)またはWIMAX(IEEE 802.16))を提供するシステムにおいて使用される。それ故に、TDDはFDDより高いスペクトル効率を提供し、対称および非対称広帯域トラフィックを渡すときに、より高い柔軟性を可能にする。さらに、TDDシステムは、帯域幅の半分を使用することにより、特に、LTEまたはWiMaxにおいて提供されるような非対称データサービスに関してFDDより単純かつ安価である。
【０００６】
しかし、(LTE-TDDおよびWIMAX-TDDのような)TDD無線システムの初期取得は、FDDより複雑である。これは、単一周波数帯の使用によるUL/DLタイムライン(timeline)の不確実性のために、(基地局またはモバイルデバイスのいずれかにおける)受信機は、(FDDシステムにおいてあり得るように)連続モードで、自動利得制御/低雑音増幅器(AGC/LNA (Automatic Gain Control／Low Noise Amplifier))アルゴリズムを実行できないという事実による。ＡＧＣは受信機(Rx)サンプル（ULとDLとの間で100dBの広いダイナミックレンジを含み得る）がDLまたはULから届くかどうかを知らないので、ＬＮＡは閉ループ方法で変更され得ない。従って、TDDシステムにおいて、より迅速かつ正確な初期取得の必要性がある。
【発明の概要】
【０００７】
一態様によると、通信システムにおける初期取得のための方法が開示される。具体的には、該方法は、時分割複信（ＴＤＤ）システムにおいて、初期取得の間予め定義された順序で、少なくとも１つの増幅器に対して、予め定められた複数の増幅器利得状態を実行することを含む。利得状態が実行されると、該方法は、その後、既知信号が検出されるまで予め定義された順序で実行される複数の予め定められた増幅器利得状態にわたって探索することに基づいて、受信信号から初期取得を決定することを含む。
【０００８】
別の態様によると、通信デバイスにおいて使用するための装置が開示される。該装置は、時分割複信(TDD)システムにおいて、初期取得の間予め定義された順序で、少なくとも１つの増幅器に対して、複数の予め定められた増幅器利得状態を実行するように構成されるサーチャを含む。利得状態が実行されると、該方法は、その後、既知信号が検出されるまで予め定義された順序で実行される複数の予め定められた増幅器利得状態にわたって探索することに基づいて、受信信号から初期取得を決定することを含む。該装置はまた、既知信号が検出されるまで予め定義された順序で実行される複数の予め定められた増幅器利得状態にわたって探索することに基づいて、受信信号から初期取得を決定するように構成される初期取得ユニットも含む。
【０００９】
さらに別の態様によると、初期取得を実行するために通信デバイスにおいて使用するための装置が開示される。該装置は、時分割複信(TDD)システムにおいて、初期取得の間予め定義された順序で、少なくとも１つの増幅器に対して、複数の予め定められた増幅器利得状態を実行するように構成される少なくとも１つのプロセッサを含む。該プロセッサはまた、既知信号が検出されるまで予め定義された順序で実行される複数の予め定められた増幅器利得状態にわたって探索することに基づいて、受信信号から初期取得を決定するように構成される。
【００１０】
さらに別の態様によると、通信デバイスにおいて使用するための装置が開示される。該装置は、時分割複信（ＴＤＤ）システムにおいて、初期取得の間予め定義された順序で、少なくとも１つの増幅器に対して、複数の予め定められた増幅器利得状態を実行する手段を特徴とする。既知信号が検出されるまで予め定義された順序で実行される複数の予め定められた増幅器利得状態にわたって探索することに基づいて、受信信号から初期取得を決定する手段も、また該装置の一部である。
【００１１】
さらにもう１つの態様によると、コンピュータ読出可能媒体を含むコンピュータプログラム製品が開示される。該媒体は、コンピュータに、時分割複信（ＴＤＤ）システムにおいて、初期取得の間予め定義された順序で、少なくとも１つの増幅器に対して、複数の予め定められた増幅器利得状態を実行させるコードを含む。該媒体は、また、コンピュータに、既知信号が検出されるまで予め定義された順序で実行される複数の予め定められた増幅器利得状態にわたって探索することに基づいて、受信信号から初期取得を決定させるコードをも含む。
【図面の簡単な説明】
【００１２】
【図１】多元接続無線通信システムの例を示す。
【図２】本開示された方法および装置を適用する典型的な通信システムのブロック図である。
【図３】本方法および装置を用いる通信デバイスの受信機部分のブロック図である。
【図４】LTEシステムにおけるTDDのためのタイプ２フレーム構造の例である。
【図５】TDDシステムにおける初期取得のための典型的な方法のフロー図である。
【図６】TDDシステムにおいて動作可能な送受信機での初期取得のための別の装置のブロック図である。
【発明を実施するための形態】
【００１３】
本開示は、TDDシステムにおいて、より迅速かつ正確なタイミング取得を提供する方法および装置を特徴とする。具体的には、本開示は、受信機における低雑音増幅器(LNA)の利得をどこに設定すべきかの不明確性の解決を含む。１つの開示される方法は、1セットの可能性あるLNA状態を選択し、LNAをこれらの状態のうちの１つにして、取得アルゴリズムを実行し、その後、取得が成功するまで、1セットのLNA状態をスキャンする。この方法は、サーチャアルゴリズムが非常に小さな信号対雑音比(SNR)を必要とし、典型的なLNA状態が使用可能なダイナミックレンジにおいてかなりオーバーラップするという認識に基づいて高速化され得る。従って、全ての可能性があるLNA状態のうちの１つの少ないサブセットは、取得を高速化するように選択され得る。初期取得は、複数のアンテナと、それぞれ異なる複数のLNA利得状態のための複数のエネルギーメトリクスを導出するのと並行して動作する異なる複数の利得状態に設定される対応する複数の受信機エンジンと、を使用することにより、さらに高速化できる。
【００１４】
ここに記述される技術は、符号分割多元接続(ＣＤＭＡ)ネットワーク、時間分割多元接続(ＴＤＭＡ)ネットワーク、周波数分割多元接続(ＦＤＭＡ)ネットワーク、直交ＦＤＭＡ(OFDMA)ネットワーク、シングルキャリアＦＤＭＡ(SC-FDMA)ネットワークなどのような様々な無線通信ネットワークに使用され得る。用語「ネットワーク」および「システム」はしばしば置き換えて使用される。ＣＤＭＡネットワークは、ＵＴＲＡ（Universal Terrestrial Radio Access）、cdma2000などのような無線技術を実現し得る。UTRAは広帯域CDMA(Ｗ−ＣＤＭＡ)および低チップレート(LCR)を含む。cdma2000はIS-2000、IS-95およびIS-856規格をカバーする。ＴＤＭＡネットワークは、ＧＳＭ（登録商標）（Global System for Mobile Communications）などのような無線技術を実現し得る。OFDMAネットワークは、UMB（Ultra Mobile Bandwidth)、E-UTRA（Evolved UTRA）、IEEE 802.11、IEEE 802.16(WiMax)、IEEE 802.20、フラッシュOFDMなどのような無線技術を実現し得る。UTRA、e-UTRA、およびGSM（登録商標）はUMTS（Universal Mobile Telecommunication System）の一部である。LTE（Long Term Evolution）は、近々リリースのE-UTRAを用いるUMTSである。UTRA、E-UTRA、GSM、UMTSおよびLTEは3GPP（3rd Generation Partnership Project）という組織からの文書に示されている。cdma2000は、3GPP2（3rd Generation Partnership Project 2）という名の組織からの文書に説明されている。これらの様々な無線技術および規格は従来技術において既知である。明確にするために、技術の特定の態様は、UMBについて下記に説明され、そしてUMB用語は、下記記述の多くで使用される。
【００１５】
ここに開示される方法および装置は、LTEまたはWiMaxシステムでの使用について説明されるが、開示される概念はTDDを用いる他の通信システムに適用する。さらに、上記で説明されたように、本開示は、OFDMベースのシステムに限定される必要はない。
【００１６】
図1を参照すると、本方法および装置が適用される多元接続無線通信システムの一例が示される。アクセスポイント100(AP)(またはeNodeBまたは基地局)は、複数のアンテナ・グループを含み、１つは１０４と１０６とを含み、別の１つは１０８と１１０とを含み、さらに別の１つは１１２と１１４とを含む。図１では、２本のアンテナだけが各アンテナ・グループのために示されるが、より多いまたはより少ないアンテナが各アンテナ・グループに用いられ得る。アクセス端末116(AT)(またはモバイルデバイスまたはユーザ装置(UE))はアンテナ112および114と通信し、アンテナ112および114は、ダウンリンク（ＤＬ）または順方向リンク１２０でアクセス端末１１６へ情報を送信し、アップリンク（ＵＬ）または逆方向リンク１１８でアクセス端末１１６から情報を受信する。アクセス端末122は、アンテナ106および108と通信し、アンテナ106および108は、順方向リンク１２６でアクセス端末１２２へ情報を送信し、逆方向リンク１２４でアクセス端末１２２から情報を受信する。FDDシステムにおいて、通信リンク118、120、124および126は異なる周波数を通信に使用する。例えば、DL 120は、そのときUL 118によって使用される周波数とは異なる周波数を使用する。TDDシステムにおいて、単一周波数が、UL 118およびDL 120の両方のために、ULおよびDL信号を時間多重して使用される。
【００１７】
通信するように設計されるアンテナおよび／またはエリアの各グループは、アクセスポイントのセクタとしばしば呼ばれる。一態様では、アンテナ・グループはそれぞれアクセスポイント100によってカバーされるエリアの１つのセクタ内のアクセス端末へ通信するように設計される。
【００１８】
アクセスポイントは端末と通信するために使用される固定局でもよく、アクセスポイント、ノードB、または他の用語でもしばしば呼ばれる。アクセス端末は、アクセス端末、ユーザ装置(UE)、無線通信デバイス、端末、アクセス端末または他の用語でもしばしば呼ばれる。
【００１９】
図2は、空間ダイバーシティ多重化(spatial diversity multiplexing)を提供するMIMOシステム200における、送信機システム210(アクセスポイントとしても知られる)および受信機システム250(アクセス端末としても知られる)の例のブロック図である。送信機システム210では、多数のデータストリームのトラフィックデータがデータソース212から送信(TX)データプロセッサ214に提供される。
【００２０】
一態様では、各データストリームは、それぞれの送信アンテナで送信される。TXデータプロセッサ214は、各データストリームのトラフィックデータを、当該データストリームに対し選択された特定のコーディングスキームに基づき、フォーマット、符号化、およびインタリーブして、符号化データを提供する。
【００２１】
各データストリームの符号化データは、OFDM技術を使用してパイロットデータと多重化され得る。パイロットデータは、通常、既知の方法で処理される既知のデータパターンであり、チャネルレスポンスを推定するために受信機システムで使用され得る。各データストリームの多重化されたパイロット及び符号化データは、その後、当該データストリームに対し選択された特定の変調スキーム(例えばBPSK、QSPK、M-PSK、またはM-QAM)に基づいて変調されて(すなわち、シンボルマッピングされて)、変調シンボルを提供する。各データストリームのデータレート、符号化および変調は、プロセッサ230によって実行される命令によって決定され得る。
【００２２】
全てのデータストリーム変調シンボルは、その後、TX MIMOプロセッサ220へ提供され、ここで変調シンボル(例えば、OFDMに関する)がさらに処理される。TX MIMOプロセッサ220は、その後、NT個の変調シンボルストリームをNT個の送信機(TMTR) 222aから222tへ提供する。一態様では、TX MIMOプロセッサ220は、データストリームのシンボルとシンボルが送信されるアンテナとにビームフォーミング重みを適用する。
【００２３】
各送信機222は、それぞれのシンボルストリームを受信および処理して、１つまたは複数のアナログ信号を提供し、さらにアナログ信号を調整して(例えば、増幅、フィルタリング、アップコンバート)、MIMOチャネルでの送信に適する変調信号を提供する。送信機222aから222tからのNT個の変調信号は、その後、NT個のアンテナ224aから224tでそれぞれ送信される。
【００２４】
受信機システム250では、送信された変調信号は、NR個のアンテナ252a から252rによって受信され、各アンテナ252からの受信信号は、それぞれの受信機(RCVR) 254a から254rへ提供される。各受信機254はそれぞれの受信信号を調整し(例えば、フィルタリング、増幅、ダウンコンバート)、調整された信号をデジタル化してサンプルを提供し、サンプルをさらに処理して、対応する「受信された」シンボルストリームを提供する。
【００２５】
RXデータプロセッサ260は、その後、特定の受信機処理技術に基づいてNR個の受信機254からのNR個の受信シンボルストリームを受信および処理して、NT個の「検知された」シンボルストリームを提供する。RXデータプロセッサ260は、その後、各検知されたシンボルストリームを復調、デインタリーブ、及びデコードして、データストリームのトラフィックデータを再生する。RXデータプロセッサ260による処理は、送信機システム210でのTX MIMOプロセッサ220およびTXデータプロセッサ214によって実行されるものに相補的である。
【００２６】
逆方向リンクまたはULメッセージは、通信リンクおよび／または受信データストリームに関する様々なタイプの情報を含み得る。逆方向リンクメッセージは、その後、データソース236からの多数のデータストリームのトラフィックデータも受信するTXデータプロセッサ238によって処理され、変調器280によって変調され、送信機254aから254rによって調整され、および送信機システム210へ返送される。
【００２７】
送信機システム210では、受信機システム250からの変調信号は、アンテナ224によって受信され、受信機222によって調整され、復調器240によって復調され、RXデータプロセッサ242によって処理され、受信機システム250によって送信された逆方向リンクまたはULメッセージを抽出する。プロセッサ230は、その後、そのプレコーディングマトリックス(pre-coding matrix)をビームフォーミング重みを決定するために使用するかを決定し、その後、抽出されたメッセージを処理する。
【００２８】
本開示は、初期取得の間、図２中の受信機254のような受信機において、ＬＮＡの利得をどこに設定すべきかの不明確性を解決することは留意すべきである。そのような受信機の実装（implementation）の1つの例として、図3はマルチプルアンテナシステムの受信機装置のブロック図を示す。マルチプルアンテナシステムについて示されているが本開示は単一アンテナデバイスにも適用できることは、当業者には言うまでもない。
【００２９】
図示されるように、受信機(s)300は送信された無線信号を受信するためにアンテナ302a、302bを含む。アンテナ302a、302bはそれぞれの受信機または受信エンジン303aおよび303bへ信号を伝える。受信機303a、303bのそれぞれは、それぞれのブロック304a、304bを含み、ブロック304a、304bは、アンテナ302からの信号を増幅するための低雑音増幅器(LNA)、ＬＮＡと連結して動作する自動利得制御（ＡＧＣ）、アナログ無線信号をデジタル信号に変換するアナログ・デジタル（Ａ−Ｄ）コンバータを表す。留意すべきは、本開示の方法および装置は、所望の信号がＴＤＤシステムにおいて識別も取得もできないような飽和（saturated）や切り捨て（truncated）にはならないＬＮＡの正確な利得設定を探索することを含む信号の初期取得として、特に、このブロック３０４へ適用できることである。
【００３０】
各受信機303はまた、正確な同期またはタイミングでブロック304からのデジタル信号内のサブキャリアをサンプリングするためのタイミングウィンドウ（timing window）を設定する同期ブロック３０６または同等のユニットを含む。シンクロナイザ306の出力は、同期されたデジタル信号であり、周波数ドメインから時間ドメインへの信号の変換のための高速フーリエ変換(FFT)３０８へ入力される。
【００３１】
説明のために、分離したサーチャユニット310および初期取得ユニット312が図示される。これらのユニットは、ブロック３０４中のＬＮＡを１セットまたは複数の可能性ある利得状態にした後、ユニット３１２によって決定される取得の成功まで当該セットにわたって探索することによって、初期取得のためパイロットを探索する探索処理を実行する。ユニット３１０および３１２は、分離したユニットのように示されているが、（シンクロナイザ３０６の一部としてのみならず）ブロック３０４の一部として組み込まれ得ることは留意すべきである。さらに留意すべきは、（結果として）もたらされた探索アルゴリズムは、分離したユニット310、312によってであろうと、ユニット304または306の一部として組込まれていようと、LNA 304において使用される利得仮説（gain hypotheses）間の電力差を正規化する正規化雑音メトリックの使用をさらに含み得ることである。さらに、ユニットまたはモジュール310および312は、これらのモジュールの機能を実行するコードを実行するように構成された１つまたは複数のプロセッサの使用により実装され得る。
【００３２】
図３の図示された例において、FFT３０８から出力される時間ドメイン信号は、チャネルのチャネル推定のために推定器（estimator）（図示せず）へ入力される。図3にさらに示されるように、FFT 308は、時間ドメイン信号を復調器３１４へ送信し、復調器は、適切に時間ドメイン信号を復調するためにチャネル推定器によって決定されるチャネル推定スキームを用いる。復調器314は、次に、デコーダ316へ復調信号を渡す。デコーダ16は情報を復号化し、結果として得られるビットストリームを、例えば、携帯電話デバイス、アクセス端末またはユーザ装置のような、送受信機が内蔵されるモバイル通信デバイスによって使用するために、出力する。
【００３３】
図4は、特に、TDDフレーム構造である、LTEのフレーム構造タイプ２を図示する。ここで留意すべきは、図4の典型的なフレーム構造はLTEに特有であるが、当業者には、開示される方法および装置はTDDシステムの他のタイプ（および対応するフレーム構造）に広く適用され得ることは言うまでもないということである。
【００３４】
図4から分かるように、長さTf=307200Ts=10msの各無線フレーム402は、それぞれ長さ153600Ts=5msの２つの半フレーム404および406で構成される。各半フレームは、長さ30720Tsの５つのスロットまたはサブフレーム(例えば、サブフレーム0乃至5)から構成される。図4に示される例において、半フレームは5ms長であるため、各サブフレームは1msの持続期間をもつ。
【００３５】
特定のサブフレームは、参照４１０によって示されるサブフレーム１に関し具体的に示されるように、ダウンリンクパイロットタイムスロット(DwPTS：Downlink Pilot Time Slot)、ガード期間(GP：Guard Period)およびアップリンクパイロットタイムスロット(UpPTS：Uplink Pilot Time Slot)の3つの特別フィールドを含む。全ての構成中のサブフレーム１（４１０）、ならびに下記表１中の構成０、１、２および６におけるサブフレーム６（４１２）は、DwPTS、GPおよびUpPTSフィールドから成る。これらの特定の特別サブフレーム(「S」によって示される)は、ダウンリンク(DL)からアップリンク(UL)への切替えをサポートするために使用される。他の全てのサブフレームは、サブフレームiがスロット2iおよび2i+1から成る２つのスロットとして定義される。これらの2つのスロットは、例えば、一例として、サブフレーム０(408)の中のスロット414および416によって示される。
【表１】
2015228666.tif 000003
【００３６】
一態様では、サブフレーム0および5、ならびにDwPTSは、ダウンリンク送信のために常にリザーブされる。サポートされるアップリンク-ダウンリンク割り当てが表１に記載され、ここでは、無線フレーム中の各サブフレームについて、「Ｄ」はサブフレームがダウンリンク送信のためにリザーブされ、「Ｕ」はサブフレームがアップリンク送信のためにリザーブされ、および「Ｓ」は３つのフィールドDwPTS, GP および UpPTSをもつ特別サブフレームを示す。5msおよび10 msの両方の切替えポイント周期がサポートされる。5msの切替えポイント周期の場合には、例えば、UpPTSと、サブフレーム２および7がアップリンク送信のためにリザーブされる。10msの切替えポイント周期の場合には、DwPTSは両方の半フレームに存在するが、GPとUpPTSは第１の半フレームにのみ存在し、第２の半フレーム中のDwPTSは30720Ts=1msと等しい長さを有する。UpPTSおよびサブフレーム2はアップリンク送信のためにリザーブされ、サブフレーム7乃至9はダウンリンク送信のためにリザーブされる。
【００３７】
初期取得とそれに付随する正確なLNA設定の決定とのための１つの可能性ある方法は、１セットの可能性あるLNA状態を選択し、その後、LNAをこれらの状態のうちの１つにすることである。取得アルゴリズムは各状態について実行され、サーチャアルゴリズムは、取得が成功するまで、当該LNA状態のセットをスキャンするように構成される。一例として、6個のLNA状態が予め定められる。その後、サーチャは、信号取得が成功するまで、連続してLNAを各状態にすることを開始する。しかし、各ＬＮＡ状態は、パイロットを見つける(すなわち、取得のためのパイロットを見つける)ことを試みるために約10乃至20msを必要とすることは留意すべきである。６つの状態のうちの最後のＬＮＡ状態が成功する場合は、連続するLNA状態アルゴリズムは、この最悪の場合において120msまで取得の時間フレームをプッシュ(push)する。
【００３８】
従って、上記の方法は、サーチャアルゴリズムが非常に小さな信号対雑音比(SNR)を必要とし、典型的なLNA状態が使用可能なダイナミックレンジにおいてかなりオーバーラップするという認識に基づいて高速化され得ることがさらに提案される。それ故に、全ての可能性あるまたは予め定められた複数のLNA状態のうちの１つの少ないサブセットは、取得を高速化するために選択され得る。
【００３９】
TDDモードにおいて、初期取得より前では、アップリンク(UL)およびダウンリンク(DL)サブフレーム境界(例えば、図4を参照)は未知である。従って、別の態様によって、初期取得またはタイミング検出アルゴリズムは、誤警報または誤検出をもたらし得るULとDL送信との間のおそらく大きな電力差(例えば100dB)を確認する必要がある。
【００４０】
さらに別の態様では、性能におけるわずかなロスのみで取得を決定するために、両方のアンテナ(および対応するLNA)を用いることにより、取得を２の累乗だけ高速化できる。図３の例をとると、受信機303a中のLNA 304は、予め定められたLNA利得状態のうちの１つにされ、受信機303b中のLNA 304は、同時に、予め定められたLNA利得状態のうちの別の１つにされる。さらに、各LNAからのエネルギーメトリックは、１つ１つの方法で算術的に結合される。この例において、LNAが入力電力に関して誤った状態である場合、パフォーマンスのロスは最小で害はない。さらに、LNAが誤った状態にある場合、受信機303a、303bの各LNA 304の次のLNA利得状態が設定され、探索は信号が見つけられるまで、レジューム（resumes）する。
【００４１】
１つの態様では、受信機303a、303bの第１および第２の利得状態は、それぞれ最低および最高の状態であり、第３および第４のＬＮＡ利得状態は、各アンテナのＬＮＡ利得状態が互いに近づく収束する形で、増加および／または減少する。代替として、５つの利得状態の例において、利得状態２および４が最初に試みられ、失敗の場合、次に、利得状態３および５が試みられる。当業者には、取得処理の高速化をもたらすために２またはそれより多い数のアンテナのＬＮＡ利得仮説が同時にテストされる、任意の数の種々の利得状態の選択スキームが用いられることは言うまでもない。
【００４２】
マルチプルアンテナシステムに関して示されたが、本開示された方法および装置はシングルアンテナシステムで実現され得る。そのような場合には、LNAは、より取得速度を上げるマルチプル時間アキュムレーション（time accumulations）と共に、複数のバースト（bursts）にわたって変化される利得状態に置かれ得る。従って、空間アキュムレーション(例えば、複数のアンテナ)または時間アキュムレーション(例えば、単一のアンテナ)のいずれかは検討される。時間アキュムレーションの特定の態様では、本方法および装置は、同じ初期取得の間、複数回のパイロットの探索にわたってＬＮＡ利得状態を変更するように構成され得る。実装（implementation）の例として、装置300は単一のアンテナ(例えば、302a)および受信機(例えば、303a)だけを含み、サーチャユニット310および初期取得ユニット312は、同じ初期取得期間の間、LNA304aの利得状態を一時的に実行するように構成される。
【００４３】
図5は、一例としてLTEシステムのような通信システムにおける初期取得の方法500を示す。該方法は、まず、時分割複信(TDD)システムにおいて、初期取得の間予め定義された順序で、１つの増幅器に対して、複数の予め定められた増幅器利得状態を実行する処理を含むブロック５０２を含む。予め定められた増幅器利得状態を実行することは、LNA（例えば、LNA 304）を該複数の状態のうちの１つにし、初期取得ユニット（例えば、316）または他の適切なハードウェア、ソフトウェア、ファームウェアまたはこれらの任意の組合せのような初期取得アルゴリズムを実行することを含む。
【００４４】
フローは、その後、ブロック５０４へ進み、ここでは、複数の予め定められた増幅器利得状態にわたって探索することに基づいて、受信信号の取得を決定する処理が行われる。探索プロセスおよびブロック504で実行される機能は、図3中のユニット318、あるいは他の適切なハードウェア、ソフトウェア、ファームウェアまたはそれら任意の組合せのようなサーチャユニットによって実装され得る。
【００４５】
ここで留意すべきは、ブロック502および504の処理がシーケンシャルに示されるが、一態様では、ブロック502の処理は取得が決定されるまでブロック504の処理と同時に実行され得ることである。すなわち、LNAは処理502によって第１の利得状態にされ、探索またはスキャン機能は、その後、処理504においてマッチするものが見つかるかどうかを決定する。マッチするものが見つかれば、さらなる探索は実施される必要はないが、マッチするものが見つからなければ、LNAはブロック502の処理を繰り返すことで次の利得状態にされ、ブロック５０４の処理によりマッチするものがもたらされるかどうかを決定し、マッチするものが見つかるまで、全ての複数の利得状態を通じて繰り返される。従って、ブロック502および504の処理は、複数の予め定められた利得状態の各利得状態(または複数の利得状態)について繰り返される。初期取得にマッチするものが見つかると、方法500はまた、複数のうち信号取得をもたらす利得状態に増幅器の利得を設定することをさらに含むブロック506を含む。
【００４６】
前述のように、一態様では、ブロック502で使用される複数の予め定められた増幅器利得状態は、可能性あるまたは予め定められた増幅器利得状態のより大きなセットのうちの１つの少ないサブセットから成る。これはパイロットのさらに高速な取得を提供する。
【００４７】
初期取得を高速化する別の方法は、複数のアンテナおよびそれぞれの受信機(例えば、302および303)の使用である。この代替として、第２のアンテナ(例えば、302b)を介した第２の受信信号に対して実行される複数の増幅器利得状態のうちの少なくとも第２の利得状態と同時に、複数の増幅器利得状態のうちの第１の利得状態が第１のアンテナ(例えば、302a)を介した第１の受信信号に対して実行される。第１および第２の同時に実行される利得状態は、初期取得のためのパイロットをもたらさなければ、該方法は、次の２つの利得状態を試みることを決定し（すなわち、第３および第４の利得状態が、第１および第２のアンテナからの信号に対して実行される）、取得が決定されるまで繰り返す。この方法のさらに別の態様では、第１および第２の利得状態は、複数の予め定められた利得状態の中で、それぞれ、最低および最高利得状態（すなわち、下限および上限）である。取得がこれらの状態のいずれにおいても成功しない場合、次の第３および第４の利得状態は、利得状態の限界からそれぞれ一定量増加および減少させた利得状態であるので、次に選択される利得状態は初期取得が決定されるまでに中間の利得状態に収束するようになる。
【００４８】
図6は、TDDシステムにおいて動作可能な送受信機での初期取得のための別の装置を示す。図示されるように、装置602は一例として送受信機デバイス600に用いられる。装置602は、時分割複信(TDD)システムにおいて、初期取得の間予め定義された順序で、増幅器に対して、複数の予め定められた増幅器利得状態を実行する手段604を含む。一例では、手段604は、特定の利得状態(例えば、サーチャ310)の設定を命令するためのユニットまたはモジュールと連結した１つまたは複数の受信機チェーン(例えば、303)によって実装され得る。装置602はまた、装置内の他の手段との間で通信する手段606を含み、通信結合のためのコミュニケーションバス（communication bus）または他の同等の手段によって実装され得る。
【００４９】
装置602はまた、手段604によって通信されるような複数の予め定められた増幅器利得状態にわたって探索することに基づいて、受信信号の信号取得を決定する手段608を含む。一例として、手段608は、特定の利得状態の設定を命令するためのユニットまたはモジュール(例えば、サーチャ310)、および初期取得を決定するためのユニット(例えば、初期取得モジュール312)、あるいは同等のハードウェア、ソフトウェア、またはそれらの組合せと連結した１つまたは複数の受信機チェーン(例えば、303)によって実装され得る。
【００５０】
複数の利得状態のうち信号取得をもたらす利得状態に、増幅器利得状態を設定する手段610も含まれる。この手段610は、受信機チェーン303のうちの少なくとも１つと連結した初期取得モジュール312によって行われ得る。さらに、装置602は、手段６０４、６０６、または６１０によって行われる１つまたは複数の手段または機能を実装または支援するためのプロセッサ612および付随するメモリ614を含み得る。
【００５１】
先の開示を考慮すると、本装置および方法がTDDシステムで動作可能な受信機における低雑音増幅器（ＬＮＡ）の利得をどこに設定すべきかの不明確性へのより迅速な解決をもたらすことは、当業者には言うまでもない。従って、これはTDDシステムにおいて、より迅速かつ正確な初期取得をもたらす。
【００５２】
当業者にはさらに、様々な実例となる論理ブロック、モジュール、回路、およびここに開示される例に関連して記述されるアルゴリズムステップが、電子ハードウェア、コンピュータソフトウェア、または両方の組合せとして実装され得ることは、言うまでもない。ハードウェアおよびソフトウェアのこの互換性を明白に示すために、様々な実例となるコンポーネント、ブロック、モジュール、回路およびステップは、それらの機能に関して概ね上記で説明された。そのような機能がハードウェアまたはソフトウェアとして実装されるかどうかは、全体のシステムに課される設計制約および特定のアプリケーションに依存する。当業者は、各特定のアプリケーションについて様々な方法で説明される機能を実装し得るが、そのような実装決定は本発明の範囲から逸脱すると解釈されるべきでない。
【００５３】
開示される処理におけるステップの特定の順序または体系は、単に典型的なアプローチの例であることは理解される。設計の選択（preferences）に基づいて、処理におけるステップの特定の順序または体系は、本開示の範囲内で再調整され得ることは理解される。付随する方法は、一例の順序における様々なステップの本エレメントをクレームし、示された特定の順序または体系に限定されることを意味しない。
【００５４】
当業者には、情報および信号は様々な異なる技術（technologies and techniques）のうちのいずれを使用して表わされ得ることは言うまでもない。例えば、上記説明全体を通して言及され得るデータ、命令、コマンド、情報、信号、ビット、シンボル、およびチップは、電圧、電流、電磁波、磁界または粒子、光場または粒子、またはそれら任意の組合せによって表され得る。
【００５５】
当業者にはさらに、ここで開示された例に関連して記述された様々な実例となる論理ブロック、モジュール、回路およびアルゴリズムステップは、電子ハードウェア、コンピュータソフトウェア、または両方の組合せとして実装され得ることは言うまでもない。ハードウェアおよびソフトウェアのこの互換性を明白に示すために、様々な実例となるコンポーネント、ブロック、モジュール、回路およびステップは、それらの機能に関して概ね上記で説明された。そのような機能がハードウェアまたはソフトウェアとして実装されるかどうかは、全体のシステムに課される設計制約および特定のアプリケーションに依存する。当業者は、各特定のアプリケーションのための様々な方法において説明される機能を実装し得るが、そのような実装決定は本発明の範囲から逸脱すると解釈されるべきでない。
【００５６】
ここで開示された例に関連して記述された様々な実例となる論理ブロック、モジュールおよび回路は、汎用プロセッサ、ＤＳＰ（digital signal processor）、ＡＳＩＣ（application specific integrated circuit）、ＦＰＧＡ（field programmable gate array signal）または他のＰＬＤ（programmable logic device）、個別のゲート（gate）またはトランジスタロジック（transistor logic）、個別のハードウェアコンポーネントまたはここに記述された機能を実行するために設計された任意のそれらの組合せを用いて実装または実行され得る。汎用プロセッサはマイクロプロセッサでもよいが、代案では、プロセッサは任意の従来のプロセッサ、コントローラ、マイクロコントローラまたはステートマシン（state machine）でもよい。プロセッサはまた、例えば、ＤＳＰとマイクロプロセッサの組合せ、複数のマイクロプロセッサ、ＤＳＰコア（core）と連結した１つまたは複数のマイクロプロセッサ、または他のそのような構成のような、コンピュータデバイスの組合せとして実現され得る。
【００５７】
ここで開示された例に関連して記述された方法、処理、またはアルゴリズムのステップは、ハードウェア、プロセッサによって実行されるソフトウェアモジュール、またはその２つの組合せで直接的に具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または技術の中で知られている記憶媒体の任意の他の形式に存在し得る。典型的な記憶媒体は、プロセッサが記憶媒体から情報を読み取り、および記憶媒体へ情報を書き込めるようにプロセッサに連結され得る。代替として、記憶媒体はプロセッサに不可欠であり得る。プロセッサおよび記憶媒体はＡＳＩＣに存在し得る。ＡＳＩＣはユーザ端末に存在し得る。代替として、プロセッサおよび記憶媒体はユーザ端末における個別のコンポーネントとして存在し得る。
【００５８】
単語「典型的」は、ここでは「例（example、instance、illustration）として役に立つ」という意味で使用される。「典型的」とここに記述された任意の例も、他の例よりも好ましいまたは有利であると必ずしも解釈されない。
【００５９】
開示された例の上記説明は任意の当業者が本発明を作るまたは使用できるように提供される。これらの例への様々な変更は当業者には容易に明白となり、また、ここで定義される一般的な原理は、発明の精神または範囲から逸脱せずに、他の例に適用され得る。従って、本発明は、ここに示された例に限定されることを意図するものではなく、ここに開示された原理および新規な特徴と一致する最も広い範囲まで許容されることを意図する。
【図１】
2015228666.tif 000004
【図２】
2015228666.tif 000005
【図３】
2015228666.tif 000006
【図４】
2015228666.tif 000007
【図５】
2015228666.tif 000008
【図６】
2015228666.tif 000009
【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
通信システムにおける初期取得のための方法であって、
時分割複信（ＴＤＤ）システムにおいて、初期取得の間予め定義された順序で、少なくとも１つの増幅器に対して、複数の予め定められた増幅器利得状態を実行することと、
既知信号が検出されるまで前記予め定義された順序で実行される前記複数の予め定められた増幅器利得状態にわたって探索することに基づいて、受信信号から初期取得を決定することと、
を含む方法。
【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
通信システムにおける初期取得を行うための方法であって、
時分割複信（ＴＤＤ）システムにおいて、初期取得の間、複数の予め定められた増幅器利得状態を実行することを含み、
前記複数の予め定められた増幅器利得状態を実行することは、受信機の第１のアンテナおよび第１の増幅器を介して受信される信号に対して、第１の予め定義された順番で前記増幅器利得状態を実行し、同時に、前記受信機の第２のアンテナおよび第２の増幅器を介して受信される信号に対して、第２の予め定義された順番で前記増幅器利得状態を実行することを含み、
前記実行に応答して既知パイロットの初期取得を決定することをさらに含む、
方法。
【請求項２】
前記第１および第２の予め定義された順番は、前記複数の予め定められた増幅器利得状態の中での最高利得状態と、前記複数の予め定められた増幅器利得状態の中での最低利得状態とでそれぞれ開始する、請求項１に定義される方法。
【請求項３】
通信デバイスにおいて初期取得を行うための装置であって、
時分割複信（ＴＤＤ）システムにおいて、初期取得の間、複数の予め定められた増幅器利得状態を実行するために構成されるサーチャを含み、
前記実行することは、受信機の第１のアンテナおよび第１の増幅器を介して受信される信号に対して、第１の予め定義された順番で前記増幅器利得状態を実行し、同時に、前記受信機の第２のアンテナおよび第２の増幅器を介して受信される信号に対して、第２の予め定義された順番で前記増幅器利得状態を実行することを含み、
前記サーチャは、前記実行に応答して既知パイロットの初期取得を決定するために構成される、
装置。
【請求項４】
前記第１および第２の予め定義された順番は、前記複数の予め定められた増幅器利得状態の中での最高利得状態と、前記複数の予め定められた増幅器利得状態の中で最低利得状態とでそれぞれ開始する、請求項３に定義される装置。
【請求項５】
通信デバイスにおいて初期取得を行うための装置であって、
時分割複信（ＴＤＤ）システムにおいて、初期取得の間、複数の予め定められた増幅器利得状態を実行するために構成される少なくとも一つのプロセッサを含み、
前記実行することは、受信機の第１のアンテナおよび第１の増幅器を介して受信される信号に対して、第１の予め定義された順番で前記増幅器利得状態を実行し、同時に、前記受信機の第２のアンテナおよび第２の増幅器を介して受信される信号に対して、第２の予め定義された順番で前記増幅器利得状態を実行することを含み、
前記少なくとも一つのプロセッサは、前記実行に応答して既知パイロットの初期取得を決定するために構成される、
装置。
【請求項６】
前記第１および第２の予め定義された順番は、前記複数の予め定められた増幅器利得状態の中での最高利得状態と、前記複数の予め定められた増幅器利得状態の中での最低利得状態とでそれぞれ開始する、請求項５に定義される装置。
【請求項７】
通信デバイスにおいて初期取得を行うための装置であって、
時分割複信（ＴＤＤ）システムにおいて、初期取得の間、複数の予め定められた増幅器利得状態を実行するための手段を含み、
前記実行することは、受信機の第１のアンテナおよび第１の増幅器を介して受信される信号に対して、第１の予め定義された順番で前記増幅器利得状態を実行し、同時に、前記受信機の第２のアンテナおよび第２の増幅器を介して受信される信号に対して、第２の予め定義された順番で前記増幅器利得状態を実行することを含み、
前記実行に応答して既知パイロットの初期取得を決定するための手段を含む、
装置。
【請求項８】
前記第１および第２の予め定義された順番は、前記複数の予め定められた増幅器利得状態の中での最高利得状態と、前記複数の予め定められた増幅器利得状態の中での最低利得状態とでそれぞれ開始する、請求項７に定義される装置。
【請求項９】
通信システムにおける初期取得をサポートするコンピュータプログラムであって、
時分割複信（ＴＤＤ）システムにおいて、初期取得の間、複数の予め定められた増幅器利得状態を実行するために、コンピュータを構成するコードを含み、
前記実行することは、受信機の第１のアンテナおよび第１の増幅器を介して受信される信号に対して、第１の予め定義された順番で前記増幅器利得状態を実行し、同時に、前記受信機の第２のアンテナおよび第２の増幅器を介して受信される信号に対して、第２の予め定義された順番で前記増幅器利得状態を実行することを含み、
前記実行に応答して既知パイロットの初期取得を決定するために前記コンピュータを構成するコードを含む、
コンピュータプログラム。
【請求項１０】
前記第１および第２の予め定義された順番は、前記複数の予め定められた増幅器利得状態の中での最高利得状態と、前記複数の予め定められた増幅器利得状態の中での最低利得状態とでそれぞれ開始する、請求項９に定義されるコンピュータプログラム。
【手続補正２】
【補正対象書類名】明細書
【補正対象項目名】００５９
【補正方法】変更
【補正の内容】
【００５９】
開示された例の上記説明は任意の当業者が本発明を作るまたは使用できるように提供される。これらの例への様々な変更は当業者には容易に明白となり、また、ここで定義される一般的な原理は、発明の精神または範囲から逸脱せずに、他の例に適用され得る。従って、本発明は、ここに示された例に限定されることを意図するものではなく、ここに開示された原理および新規な特徴と一致する最も広い範囲まで許容されることを意図する。
以下に、本願出願の当初の特許請求の範囲に記載された発明を付記する。
［Ｃ１］
通信システムにおける初期取得のための方法であって、
時分割複信（ＴＤＤ）システムにおいて、初期取得の間予め定義された順序で、少なくとも１つの増幅器に対して、複数の予め定められた増幅器利得状態を実行することと、
既知信号が検出されるまで前記予め定義された順序で実行される前記複数の予め定められた増幅器利得状態にわたって探索することに基づいて、受信信号から初期取得を決定することと、
を含む方法。
［Ｃ２］
前記少なくとも１つの増幅器の利得を、前記複数のうち初期取得をもたらす利得状態に設定することをさらに含む、Ｃ１に定義される方法。
［Ｃ３］
前記複数の予め定められた増幅器利得状態は、可能性あるまたは予め定められた増幅器利得状態のより大きなセットのうちの１つの少ないサブセットを含む、Ｃ１に定義される方法。
［Ｃ４］
前記複数のうちの第１の利得状態が第１のアンテナを介した第１の受信信号に対して実行されるのと同時に、前記複数のうちの少なくとも第２の利得状態が第２のアンテナを介した第２の受信信号に対して実行される、Ｃ１に定義される方法。
［Ｃ５］
初期取得が前記第１および第２の利得状態を用いて決定されないとき、前記複数のうちの少なくとも第３の利得状態が前記第１のアンテナを介した第１の受信信号に対して実行されると同時に、前記複数のうちの少なくとも第４の利得状態が前記第２のアンテナを介した前記第２の受信信号に対して実行される、Ｃ４に定義される方法。
［Ｃ６］
前記第１の利得状態は前記複数の中で前記増幅器の最高利得状態であり、前記第２の利得状態は前記複数の予め定められた利得状態の中で前記増幅器の最低利得状態である、Ｃ５に定義される方法。
［Ｃ７］
受信機の第１のアンテナを介して受信される信号に対して前記複数の増幅器利得状態のうちの少なくとも１つを実行することと、前記受信機の少なくとも第２のアンテナを介して受信される信号に対して前記複数の増幅器利得状態のうちの他の少なくとも１つを実行することと、をさらに含み、
前記第１のアンテナに関する前記複数の増幅器利得状態のうちの前記少なくとも１つと、前記第２のアンテナに関する前記複数の増幅器利得状態のうちの前記他の少なくとも１つとのためのエネルギーメトリックは、初期取得を得るための既知パイロットを探索するために結合される、
Ｃ１に定義される方法。
［Ｃ８］
前記複数の予め定められた増幅器利得状態を実行することは、同じ初期取得期間の間、複数回の前記パイロットの探索にわたって前記増幅器利得状態を変更することを含む、
Ｃ１に定義される方法。
［Ｃ９］
前記少なくとも１つの増幅器は、受信機における低雑音増幅器（ＬＮＡ）である、
Ｃ１に定義される方法。
［Ｃ１０］
通信デバイスにおいて使用するための装置であって、
時分割複信（ＴＤＤ）システムにおいて、初期取得の間予め定義された順序で、少なくとも１つの増幅器に対して、複数の予め定められた増幅器利得状態を実行するように構成されるサーチャと、
既知信号が検出されるまで前記予め定義された順序で実行される前記複数の予め定められた増幅器利得状態にわたって探索することに基づいて、受信信号から初期取得を決定するように構成される初期取得ユニットと、
を含む装置。
［Ｃ１１］
前記初期取得ユニットは、前記少なくとも１つの増幅器の利得を、前記複数のうち初期取得をもたらす利得状態に設定するようにさらに構成される、Ｃ１０に定義される装置。
［Ｃ１２］
前記複数の予め定められた増幅器利得状態は、可能性あるまたは予め定められた増幅器利得状態のより大きなセットのうちの１つの少ないサブセットを含む、Ｃ１０に定義される装置。
［Ｃ１３］
前記サーチャは、前記複数のうちの第１の利得状態を第１のアンテナを介した第１の受信信号に対して実行するのと同時に、前記複数のうちの少なくとも第２の利得状態を第２のアンテナを介した第２の受信信号に対して実行するようにさらに構成される、Ｃ１０に定義される装置。
［Ｃ１４］
初期取得が前記第１および第２の利得状態を用いて決定されないとき、前記複数のうちの少なくとも第３の利得状態が前記第１のアンテナを介した第１の受信信号に対して実行されると同時に、前記複数のうちの少なくとも第４の利得状態が前記第２のアンテナを介した前記第２の受信信号に対して実行される、Ｃ１３に定義される装置。
［Ｃ１５］
前記第１の利得状態は前記複数の中で前記増幅器の最高利得状態であり、前記第２の利得状態は前記複数の予め定められた利得状態の中で前記増幅器の最低利得状態である、Ｃ１４に定義される装置。
［Ｃ１６］
前記サーチャは、受信機の第１のアンテナを介して受信される信号に対して前記複数の増幅器利得状態のうちの少なくとも１つを実行し、前記受信機の少なくとも第２のアンテナを介して受信される信号に対して前記複数の増幅器利得状態のうちの他の少なくとも１つを実行するように、さらに構成され、
前記第１のアンテナに関する前記複数の増幅器利得状態のうちの前記少なくとも１つと、前記第２のアンテナに関する前記複数の増幅器利得状態のうちの前記他の少なくとも１つとのためのエネルギーメトリックは、初期取得を得るための既知パイロットを探索するために結合される、
Ｃ１０に定義される装置。
［Ｃ１７］
前記サーチャは、同じ初期取得期間の間、複数回の前記パイロットの探索にわたって前記増幅器利得状態を変更するようにさらに構成される、
Ｃ１０に定義される装置。
［Ｃ１８］
前記少なくとも１つの増幅器は、受信機における低雑音増幅器（ＬＮＡ）である、
Ｃ１０に定義される装置。
［Ｃ１９］
初期取得を実行するために通信デバイスにおいて使用するための装置であって、
時分割複信（ＴＤＤ）システムにおいて、初期取得の間予め定義された順序で、少なくとも１つの増幅器に対して、複数の予め定められた増幅器利得状態を実行し、および
既知信号が検出されるまで前記予め定義された順序で実行される前記複数の予め定められた増幅器利得状態にわたって探索することに基づいて、受信信号から初期取得を決定するように構成される、
少なくとも１つのプロセッサを含む装置。
［Ｃ２０］
前記少なくとも１つのプロセッサは、前記少なくとも１つの増幅器の利得を、前記複数のうち初期取得をもたらす利得状態に設定するようにさらに構成される、Ｃ１９に定義される装置。
［Ｃ２１］
前記複数の予め定められた増幅器利得状態は、可能性あるまたは予め定められた増幅器利得状態のより大きなセットのうちの１つの少ないサブセットを含む、Ｃ１９に定義される装置。
［Ｃ２２］
前記複数のうちの第１の利得状態が第１のアンテナを介した第１の受信信号に対して実行されるのと同時に、第２のアンテナを介した第２の受信信号に対して前記複数のうちの少なくとも第２の利得状態が実行される、Ｃ１９に定義される装置。
［Ｃ２３］
初期取得が前記第１および第２の利得状態を用いて決定されないとき、前記複数のうちの少なくとも第３の利得状態が前記第１のアンテナを介した第１の受信信号に対して実行されると同時に、前記複数のうちの少なくとも第４の利得状態が前記第２のアンテナを介した前記第２の受信信号に対して実行される、Ｃ２２に定義される装置。
［Ｃ２４］
前記第１の利得状態は前記複数の中で前記増幅器の最高利得状態であり、前記第２の利得状態は前記複数の予め定められた利得状態の中で前記増幅器の最低利得状態である、Ｃ２３に定義される装置。
［Ｃ２５］
前記少なくとも１つのプロセッサは、受信機の第１のアンテナを介して受信される信号に対して前記複数の増幅器利得状態のうちの少なくとも１つを実行し、前記受信機の少なくとも第２のアンテナを介して受信される信号に対して前記複数の増幅器利得状態のうちの他の少なくとも１つを実行するように、さらに構成され、
前記第１のアンテナに関する前記複数の増幅器利得状態のうちの前記少なくとも１つと、前記第２のアンテナに関する前記複数の増幅器利得状態のうちの前記他の少なくとも１つとのためのエネルギーメトリックは、初期取得を得るための既知パイロットを探索するために結合される、
Ｃ１９に定義される装置。
［Ｃ２６］
前記複数の予め定められた増幅器利得状態を実行することは、同じ初期取得期間の間、複数回の前記パイロットの探索にわたって前記増幅器利得状態を変更することを含む、
Ｃ１９に定義される装置。
［Ｃ２７］
前記少なくとも１つの増幅器は、受信機における低雑音増幅器（ＬＮＡ）である、
Ｃ１９に定義される装置。
［Ｃ２８］
通信デバイスにおいて使用するための装置であって、
時分割複信（ＴＤＤ）システムにおいて、初期取得の間予め定義された順序で、少なくとも１つの増幅器に対して、複数の予め定められた増幅器利得状態を実行する手段と、
既知信号が検出されるまで前記予め定義された順序で実行される前記複数の予め定められた増幅器利得状態にわたって探索することに基づいて、受信信号から初期取得を決定する手段と、
を備える装置。
［Ｃ２９］
前記少なくとも１つの増幅器の利得を、前記複数のうち初期取得をもたらす利得状態に設定する手段をさらに備える、Ｃ２８に定義される装置。
［Ｃ３０］
前記複数の予め定められた増幅器利得状態は、可能性あるまたは予め定められた増幅器利得状態のより大きなセットのうちの１つの少ないサブセットを含む、Ｃ２８に定義される装置。
［Ｃ３１］
前記複数のうちの第１の利得状態が第１のアンテナを介した第１の受信信号に対して実行されるのと同時に、前記複数のうちの少なくとも第２の利得状態が第２のアンテナを介した第２の受信信号に対して実行される、Ｃ２８に定義される装置。
［Ｃ３２］
初期取得が前記第１および第２の利得状態を用いて決定されないとき、前記複数のうちの少なくとも第３の利得状態が前記第１のアンテナを介した第１の受信信号に対して実行されるのと同時に、前記複数のうちの少なくとも第４の利得状態が前記第２のアンテナを介した前記第２の受信信号に対して実行される、Ｃ３１に定義される装置。
［Ｃ３３］
前記第１の利得状態は前記複数の中で前記増幅器の最高利得状態であり、前記第２の利得状態は前記複数の予め定められた利得状態の中で前記増幅器の最低利得状態である、Ｃ３２に定義される装置。
［Ｃ３４］
受信機の第１のアンテナを介して受信される信号に対して前記複数の増幅器利得状態のうちの少なくとも１つを実行し、前記受信機の少なくとも第２のアンテナを介して受信される信号に対して前記複数の増幅器利得状態のうちの他の少なくとも１つを実行する手段、をさらに含み、
前記第１のアンテナに関する前記複数の増幅器利得状態のうちの前記少なくとも１つと、前記第２のアンテナに関する前記複数の増幅器利得状態のうちの前記他の少なくとも１つとのためのエネルギーメトリックは、初期取得を得るための既知パイロットを探索するために結合される、
Ｃ２８に定義される装置。
［Ｃ３５］
前記複数の増幅器利得状態のうちの少なくとも１つを実行する手段は、同じ初期取得期間の間、複数回の前記パイロットの探索にわたって前記増幅器利得状態を変更するように構成される、
Ｃ２８に定義される装置。
［Ｃ３６］
前記少なくとも１つの増幅器は、受信機における低雑音増幅器（ＬＮＡ）である、
Ｃ２８に定義される装置。
［Ｃ３７］
コンピュータ可読媒体を含むコンピュータプログラム製品であって、前記コンピュータ可読媒体は、
コンピュータに、時分割複信（ＴＤＤ）システムにおいて、初期取得の間予め定義された順序で、少なくとも１つの増幅器に対して、複数の予め定められた増幅器利得状態を実行させるコードと、
コンピュータに、既知信号が検出されるまで前記予め定義された順序で実行される前記複数の予め定められた増幅器利得状態にわたって探索することに基づいて、受信信号から初期取得を決定させるコードと、
を含むコンピュータプログラム製品。
［Ｃ３８］
前記コンピュータ可読媒体は、
コンピュータに、前記少なくとも１つの増幅器の利得を、前記複数のうちの初期取得をもたらす利得状態に設定させるコード、
をさらに含むＣ３７に定義されるコンピュータプログラム製品。
［Ｃ３９］
前記複数の予め定められた増幅器利得状態は、可能性あるまたは予め定められた増幅器利得状態のより大きなセットのうちの１つの少ないサブセットを含む、Ｃ３７に定義されるコンピュータプログラム製品。
［Ｃ４０］
前記複数のうちの第１の利得状態が第１のアンテナを介した第１の受信信号に対して実行されるのと同時に、前記複数のうちの少なくとも第２の利得状態が第２のアンテナを介した第２の受信信号に対して実行される、Ｃ３７に定義されるコンピュータプログラム製品。
［Ｃ４１］
初期取得が前記第１および第２の利得状態を用いて決定されないとき、前記複数のうちの少なくとも第３の利得状態が前記第１のアンテナを介した第１の受信信号に対して実行されるのと同時に、前記複数のうちの少なくとも第４の利得状態が前記第２のアンテナを介した前記第２の受信信号に対して実行される、Ｃ４０に定義されるコンピュータプログラム製品。
［Ｃ４２］
前記第１の利得状態は前記複数の中で前記増幅器の最高利得状態であり、前記第２の利得状態は前記複数の予め定められた利得状態の中で前記増幅器の最低利得状態である、Ｃ４１に定義されるコンピュータプログラム製品。
［Ｃ４３］
前記コンピュータ可読媒体は、
コンピュータに、受信機の第１のアンテナを介して受信される信号に対して前記複数の増幅器利得状態のうちの少なくとも１つを実行させ、前記受信機の第２のアンテナを介して受信される信号に対して前記複数の増幅器利得状態のうちの他の少なくとも１つを実行させるコード、を含み、
前記第１のアンテナに関する前記複数の増幅器利得状態のうちの前記少なくとも１つと、前記第２のアンテナに関する前記複数の増幅器利得状態のうちの前記他の少なくとも１つとのためのエネルギーメトリックは、初期取得を得るための既知パイロットを探索するために結合される、
Ｃ３７に定義されるコンピュータプログラム製品。
［Ｃ４４］
前記コンピュータ可読媒体は、
コンピュータに、同じ初期取得期間の間、複数回の前記パイロットの探索にわたって前記増幅器利得状態を変更させるコード
をさらに含むＣ３７に定義されるコンピュータプログラム製品。
［Ｃ４５］
前記少なくとも１つの増幅器は、受信機における低雑音増幅器（ＬＮＡ）である、
Ｃ３７に定義されるコンピュータプログラム製品。
【外国語明細書】
2015228666000001.pdf